(57)【要約】【課題】  油脂系食品が付いている食器を洗浄した場合に発生する白い粉が被洗物に付着することを防止できる食器洗い機用洗剤組成物を提供する。【解決手段】  本発明による食器洗い機用洗剤組成物は、（ａ）下記一般（Ｉ）式で表される化合物  １〜１０重量％、および（ｂ）アルミノ珪酸塩  １〜６重量％  を含有する。式中、Ｍは水素原子またはＣ１−４のアルキル基、Ｒ１はＣ２−４のアルキレン基、Ｒ２はＣ３−４のアルキレン基、Ｒ３はフェニレン基、ナフチレン基またはビフェニレン基、Ｒ４はＣ２−８のアルキレン基、ｎ１とｎ３は１〜４０、ｎ２は０〜５をそれぞれ意味する。【化１】2007077184.tif 000006【選択図】    なし【特許請求の範囲】
【請求項１】
（ａ）下記一般（Ｉ）式で表される化合物  １〜１０重量％、および
【化１】
2007077184.tif 000005
（Ｍは水素原子またはＣ１−４のアルキル基、Ｒ１はＣ２−４のアルキレン基、Ｒ２はＣ３−４のアルキレン基、Ｒ３はフェニレン基、ナフチレン基またはビフェニレン基、Ｒ４はＣ２−８のアルキレン基、ｎ１とｎ３は１〜４０、ｎ２は０〜５をそれぞれ意味する。）  
（ｂ）アルミノ珪酸塩  １〜６重量％  
を含有する食器洗い機用洗剤組成物。
【発明の詳細な説明】
【技術分野】
【０００１】
本発明は、油脂系食品が付いている食器を洗浄した場合に発生する白い粉が被洗物に付着することを防止できる食器洗い機用洗剤組成物に関する。
【背景技術】
【０００２】
近年、食器洗い機の小型化、低価格化が進むと共に、新築住居にビルトインタイプの食器洗い機が標準装備あるいはオプションとして設置されることが多くなり、その普及率は急速に高まっている。
【０００３】
食器洗い機用洗剤組成物の抱えるひとつの問題として、油脂系食品が付いている食器を洗浄した場合、白い粉が発生して被洗物である食器に付着するという現象が起こっていた。その現象は被洗物がどのような材質からなる食器の場合でも起こるが、ことにプラスチック製食器等の合成樹脂系食器を洗浄した場合に顕著であり、表面が合成樹脂層で覆われていることが多い食器洗い機のふた内面等にもこのような白い粉が付くことがある。
【０００４】
このような現象は、油脂系食品の汚れが多く付いており、かつ、洗浄水の硬度が高い場合により発生し易いことがわかっている。このような現象はひとたび起きるとその洗剤の商品価値を著しく損なう恐れがある。
【０００５】
油脂系食品が付いている食器を洗浄した場合に発生して被洗物に付着した白い粉を分析すると、脂肪酸金属塩であることが分かった。油脂系食品が付いている食器を洗う場合、特にプラスチック製の弁当箱やタッパウエアーのような合成樹脂系食器の表面は親油性であることから、他の材質からなる食器と比較し、特に白い粉が付着し易い。
【０００６】
このような白粉付着の解決策として、水中の硬度成分であるカルシウム成分、マグネシウム成分を補足することにより、この現象を抑えることが考えられるが、ＥＤＴＡの酸／塩を用いたテストでは十分な効果は得られなかった。また、公知のスケール防止剤等（特許文献１、２、３参照）を用いたテストでも、白粉の付着を防止することはできなかった。
【特許文献１】特開２００４−２０４０５５号公報
【特許文献２】特表２００４−５０８４５６号公報
【特許文献３】特開２００２−２０１４９８号公報
【発明の開示】
【発明が解決しようとする課題】
【０００７】
本発明は、油脂系食品が付いている食器を洗浄した場合に発生する白い粉が、被洗物に付着することを効果的に防止することができる食器洗い機用洗剤組成物を提供することを目的とする。
【課題を解決するための手段】
【０００８】
本発明者らは、このような白い粉の付着を防止すべく、鋭意検討を行った結果、樹脂表面に白い粉が付着するのを効果的に防止することができる食器洗い機用洗剤組成物の処方を見いだした。
【０００９】
すなわち、本発明は、
（ａ）下記一般（Ｉ）式で表される化合物  １〜１０重量％、および
【化１】
2007077184.tif 000002
【００１０】
（Ｍは水素原子またはＣ１−４のアルキル基、Ｒ１はＣ２−４のアルキレン基、Ｒ２はＣ３−４のアルキレン基、Ｒ３はフェニレン基、ナフチレン基またはビフェニレン基、Ｒ４はＣ２−８のアルキレン基、ｎ１とｎ３は１〜４０、ｎ２は０〜５をそれぞれ意味する。）  
（ｂ）アルミノ珪酸塩  １〜６重量％  
を含有する食器洗い機用洗剤組成物を提供する。
本発明に用いられる（ａ）成分すなわち化合物（Ｉ）は、親油性である食器洗い機のふた内面や、プラスチック製の弁当箱やタッパウエアーのような合成樹脂系食器の表面に親水性の被膜を形成し、該表面を親水化することにより、該表面に白い粉を付着させない働きをする。
【００１１】
（ａ）成分の配合量は組成物中１〜１０重量％、好ましくは２〜５重量％である。この配合量は１重量％未満では十分な被膜形成効果が得られず、１０重量％を超えると本発明組成物の製品状態が著しく損なわれる。
【００１２】
本発明に用いられる（ｂ）成分すなわちアルミノ珪酸塩は、従来は洗濯用洗剤に水軟化剤として多く用いられていたが、本発明では、水軟化剤としての働きだけでなく、（ａ）成分の作用を補助する働きもする。
【００１３】
アルミノ珪酸塩としては結晶性アルミノ珪酸塩、非結晶性アルミノ珪酸塩、二酸化珪素、水和珪酸化合物等の粘土化合物等が挙げられる。特に結晶性アルミノ珪酸塩が好ましい。
【００１４】
アルミノ珪酸塩の配合量は組成物中１〜６重量％、好ましくは２〜４重量％である。この配合量は１重量％未満では十分な効果が得られず、６重量％を超えると（ａ）成分の効果を損なう影響を与える上に、本発明組成物の製品状態が損なわれ、使用者が使う際にむせる等の問題が発生する。
【００１５】
（ａ）成分とキレート剤の組み合わせ、または（ｂ）成分とキレート剤の組み合わせでは十分に効果が得られないが、（ａ）成分と（ｂ）成分の組み合わせでは効果が得られたことから、（ａ）成分すなわち化合物（Ｉ）と（ｂ）成分すなわちアルミノ珪酸塩を併用することにより、より少ない（ａ）成分の配合量で良好な効果を得ることができる。
【００１６】
本発明の組成物には必要に応じて、香料、色素、漂白剤、酵素、溶剤、アルカリ剤、その他目的に応じた添加物を適宜加えることができる。
【００１７】
また、組成物の製品形態は、特に限定するものではない。
【発明の効果】
【００１８】
本発明による食器洗い機用洗剤組成物を用いれば、油脂系食品が付いている食器を洗浄した場合に発生する白い粉が、被洗物に付着することを効果的に防止することができる。
【発明を実施するための最良の形態】
【００１９】
以下、実施例および比較例を挙げて本発明をさらに具体的に説明する。但し、本発明はこれにより限定されるものではない。
【００２０】
《組成物の調製》
下記表１に示す実施例１〜５の組成物および下記表２に示す比較例１〜４の組成物をそれぞれ調製した。
【００２１】
《付着物テスト》
家庭用食器洗い機を用いて、下記条件で食器の洗浄を行い、洗浄後の食器洗い機内の状態を評価した。
【００２２】
洗浄条件
サンプル：実施例１〜５および比較例１〜４の組成物をそれぞれ９ｇ使用
使用機種：ナショナルＮＰ−４０ＳＸ２  標準コース洗浄  ２０分乾燥
使用水：ＣａＣＯ３ ３００ｐｐｍ硬度水（水道水５０ｐｐｍ＋ＣａＣＯ３ ２５０ｐｐｍを添加）
汚垢：（牛脂１００重量部とスダンIV０．１重量部の混合物）１ｇ／サンプルを添加
判定基準
色つき布（２ｃｍ×２ｃｍ）で食器洗い機のふた部分を拭き取り、同布に付着した白い粉の量の程度を下記の基準で判定した。
【００２３】
色つき布に全く白い粉がつかない              ◎
色つき布に白い粉がわずかにつく              ○
色つき布一面に白い粉がつく                  △
色つき布で拭き取れないくらいの白い粉の量    ×
得られたテスト結果を表１および２にまとめて示す。
【表１】
2007077184.tif 000003
【表２】
2007077184.tif 000004
【００２４】
表中の記載は以下のものを意味する。
【００２５】
（ａ）化合物：  クラリアントジャパン社製  TEXCARE SRN-100
（ｂ）アルミノ珪酸塩：  Ａ型ゼオライト
ＥＤＴＡ−Ｎａ：  エチレンジアミン四酢酸四ナトリウム
炭酸塩：  炭酸ナトリウム
ＡＥ：  平均炭素数１２のアルキル鎖とエチレンオキシドプロピレンオキシド付加物
珪酸塩：  珪酸ナトリウム
有機酸塩：  クエン酸ナトリウム
表１および表２から明らかなように、本発明による食器洗い機用洗剤組成物は、油脂系食品が付いている食器を洗浄した場合に発生する白い粉が、被洗物に付着することを効果的に防止することができることが確認された。